(57)【要約】【課題】  各種の収納物を安定保持することができるとともに、操作性にも優れた収納装置を提供する。【解決手段】  収納装置１は、コンソールパネル等の基体２とボックス部３と押え部材４，４とから形成される。基体２の孔部２１から下方に延設された筒部２２には上部に開口部３０と側壁部３６と収納物載置部としての底部３４を有するボックス部３が嵌挿される。押え部材４の第１軸突起４３は基体２に形成された第１軸受部２１に回動可能に軸支され、第１軸突起４３より開口部３０の外側に設けられた第２軸突起４４がボックス部３に形成された第２軸受穴３３に回動可能に軸支される。さらに基体２にはボックス部３を上方に付勢する付勢部材５を備えている。【選択図】      図１
2006069228.tif 000002
【特許請求の範囲】
【請求項１】
孔部を有する基体と、該基体の孔部に対して上下動可能に取付けられる可動部材と該孔部の径方向内側に出没自在とされた押え部材とからなる収納装置であって、
前記可動部材には前記孔部の下方に収納物の載置部が設けられ、
前記押え部材は前記孔部の径方向内側に出没自在とされた本体部と該本体部の一端に設けられ前記基体に回動可能に支持される第１軸支部および前記可動部材への係合手段とを備えた取付部とからなり、
該係合手段は前記可動部材が前記基体に対して下方移動した際には前記本体部が前記孔部の径方向内側に突出し上方移動した際には前記本体部が前記孔部の径方向内側に没するように前記可動部材に係合しており、
前記基体は前記可動部材を前記基体に対して上方に付勢する第１付勢部材を備えていることを特徴とする収納装置。
【請求項２】
前記本体部は前記取付部から下方に向けて延設されており、前記係合手段は前記第１軸支部より前記孔部の径方向の外方に設けられていることを特徴とする請求項１に記載の収納装置。
【請求項３】
前記係合手段は前記押え部材を前記可動部材に対して回動可能に支持する第２軸支部であることを特徴とする請求項１乃至請求項２に記載の収納装置。
【請求項４】
前記基体または前記可動部材の少なくともいずれか一方には前記孔部から下方に向けた筒状の側壁部が設けられていることを特徴とする請求項１乃至請求項３に記載の収納装置。
【請求項５】
前記側壁部には前記本体部が前記孔部の径方向に没した際に前記本体部を収容可能な凹部が設けられていることを特徴とする請求項４に記載の収納装置。
【請求項６】
前記本体部の前記取付部側の端部と前記取付部側とは反対側の先端部との間に可撓部が形成され、
該可撓部には前記本体部を真直方向に付勢する第１付勢部材より付勢力が小さい第２付勢部材が配設されていることを特徴とする請求項１乃至請求項５に記載の収納装置。
【請求項７】
前記基体には、前記載置部に収納物が載置された際に、前記第１付勢手段の付勢力に抗して前記可動部材を前記基体に対する下方への移動を防止するロック手段が設けられていることを特徴とする請求項１乃至請求項６に記載の収納装置。
【請求項８】
前記本体部は前記取付部から下方に延設された下端部近傍に前記本体部より比重の大きい錘部材が取付けられていることを特徴とする請求項２に記載の収納装置。
【発明の詳細な説明】
【技術分野】
【０００１】
本発明は、自動車のコンソールボックス等に取り付けられる収納装置に関し、詳しくは飲料容器や各種小物類等の多目的に用いることができる収納装置に関する。
【背景技術】
【０００２】
一般に、自動車のコンソールボックスには、飲料容器を保持するためのカップホルダーや、各種小物類を収納するための収納装置が設けられている。この収納装置として、上部に開口するボックス部を持つボックス本体と、このボックス部の一壁面からボックス部内に出入自在にボックス本体に保持された押え部材と、この押え部材をボックス部内に突出する方向へ付勢する付勢部材と、この押え部材をボックス部内から出た位置で付勢部材の付勢力に抗して係止する係止手段とよりなるものが提案されている。（例えば、特許文献１参照）また、コップ類のホルダーとしては、コップ類の保持孔を有する保持基体と、この保持基体に設けられて保持孔の開口面積を可変にするスライド自在なパネルと、基端が保持基体に軸支されて揺動自在なアームと、保持孔の下部位置に配設されるようにアームの自由端に連設されたコップ類の載置部と、コップ類の自重によるアームの下方向への揺動をパネルの開口面積を減少させる方向へのスライド変換伝達させる伝達手段と、コップ類の自重よりも弱い付勢力をアームの復位方向に付勢力する付勢手段とからなるものが提案されている。（例えば、特許文献２参照）
【特許文献１】実開平４−５７４４５号公報
【特許文献２】実開昭６２−４４３６号公報
【発明の開示】
【発明が解決しようとする課題】
【０００３】
ところが、特許文献１に記載のものにおいては、押え部材がボックス部内に突出した位置では押え部材がカップを挟持して、収納ボックスをカップホルダーとして利用でき、また、押え部材がボックス部内に突出していない位置では、ボックス部内をコインホルダー、小物入れ等として利用できるものであるが、ボックス部底面のカップ載置面の高さは、押え部材に対して常に一定の高さにあるため、種々の高さや径のカップを安定保持するのが困難である。また、押え部材は手で操作してボックス部内に出入りさせなければならず、操作が煩雑になるという問題がある。また、特許文献２に記載のものにおいては、コップの自重によるアームの下方向に揺動に連動して、伝達手段によりパネルが開口面積を減少させるようにスライド移動するものであり、径の異なるコップを保持することができるが、パネルは平面上を水平にスライド移動するため、パネルをスライドさせるための大きなスペースが必要となり、限られた設置スペース内では設置が困難となるという問題がある。また、アームはコップの自重により上下方向に揺動することができるため、高さの異なるコップを保持することはできるが、アームの揺動は軸による回動であるため、コップの載置面は上下方向への移動に伴いパネルのスライド移動と同方向に移動するものである。このため、同公報の実施例等で示されるように載置部はその面積を大きくすることが困難となる。
【０００４】
本発明は、このような従来技術に存在する問題点に着目してなされたものである。その目的とするところは、煩雑な操作を必要とせず、カップホルダーやコインホルダー、小物入れ等の多目的に利用できるとともに、設置のためのスペースも小さくできる収納装置を提供することにある。
【課題を解決するための手段】
【０００５】
上記の目的を達成するために、請求項１の発明においては、孔部を有する基体と、該基体の孔部に対して上下動可能に取付けられる可動部材と該孔部の径方向内側に出没自在とされた押え部材とからなる収納装置であって、前記可動部材には前記孔部の下方に収納物の載置部が設けられ、前記押え部材は前記孔部の径方向内側に出没自在とされた本体部と該本体部の一端に設けられ前記基体に回動可能に支持される第１軸支部および前記可動部材への係合手段とを備えた取付部とからなり、該係合手段は前記可動部材が前記基体に対して下方移動した際には前記本体部が前記孔部の径方向内側に突出し上方移動した際には前記本体部が前記孔部の径方向内側に没するように前記可動部材に係合しており、前記基体は前記可動部材を前記基体に対して上方に付勢する第１付勢部材を備えていることを要旨とするものである。
【０００６】
この構成によれば、収納装置は、載置部に飲料容器等の収納物を載置すると可動部材が第１付勢部材の付勢力に抗して下方に移動し、押え部材は取付部に設けられた第１軸支部を中心に回動するとともに係合手段が可動部材に係合しつつ可動部材とともに下方に移動して本体部が孔部の径方向内側に回動させられる。すると、本体部の取付部とは反対側の先端部が飲料容器等の収納物の側周部に当接して安定保持することができるようになるものである。
【０００７】
請求項２に記載の発明では、請求項１の発明において、前記本体部は前記取付部から下方に向けて延設されており、前記係合手段は前記第１軸支部より前記孔部の径方向の外方に設けられていることを要旨とするものである。
【０００８】
この構成によれば、押え部材は飲料容器等の収納物を載置部に載置すると第１軸支部を中心に回動し、係合手段は可動部材とともに下方に移動するので、取付部から下方に向けて延設されている本体部はその下端部が孔部の径方向内側に突出することとなるため、飲料容器等の収納物の孔部への挿入、取出操作をより容易に行うことができる。
【０００９】
請求項３に記載の発明では、請求項１乃至請求項３の発明において、前記係合手段は前記押え部材を前記可動部材に対して回動可能に支持する第２軸支部であることを要旨とするものである。
この構成によれば、係合手段を第２軸支部としたので、押え部材は第１軸支部と第２軸支部とにより回動し、載置部に飲料容器等の収納物を載置した際に、本体部は孔部の径方向内側への出没動作を一層円滑にすることができる。
請求項４に記載の発明では、請求項１乃至請求項３の発明において、前記基体または前記稼動部材の少なくともいずれか一方には前記孔部から下方に向けた筒状の側壁部が設けられていることを要旨とするものである。
【００１０】
この構成によれば、載置部に飲料容器等の収納物を載置した際に、筒状の側壁部は押え部材と協同して収納物の側周面を保持することができる。
【００１１】
請求項５に記載の発明では、請求項４の発明において、前記側壁部には前記本体部が前記孔部の径方向に没した際に前記本体部を収容可能な凹部が設けられていることを要旨とするものである。
【００１２】
この構成によれば、側壁部には本体部を収容可能な凹部が設けられているので、押え部材の本体部が開口部の径方向内側に突出していないときには、内壁に形成された凹部に収容されるので、側壁部とほぼ面一とすることができ、見栄えをよくすることができるとともに、本体部の先端により収納物を保持する必要がない場合には収納容積を大きくすることができる。
【００１３】
請求項６に記載の発明では、請求項１乃至請求項５に記載の発明において、前記本体部の前記取付部側の端部と前記取付部側とは反対側の先端部との間に可撓部が形成され、
該可撓部には前記本体部を真直方向に付勢する第１付勢部材より付勢力が小さい第２付勢部材が配設されていることを
この構成によれば、本体部は可撓部で折れ曲がることができるため、大径で高さの高い収納物、特に飲料容器を保持する場合には、本体部は第１付勢部材より付勢力が小さい第２付勢部材により円滑に折れ曲がって収納物の側周面に当接して保持するため、本体部の先端より高い位置で収納物を保持することとなり、より安定した保持が可能となる。
請求項７の発明では、請求項１乃至請求項６に記載の発明において、前記基体には、前記載置部に収納物が載置された際に、前記第１付勢手段の付勢力に抗して前記可動部材を前記基体に対する下方への移動を防止するロック手段が設けられていることを要旨とするものである。
この構成によれば、可動部材が基体に対して下方に移動するのを防止するロック手段が設けられているので、可動部材が下方に移動しなくなるとともに押え部材が回動しなくなり、本体部は孔部の径方向内側に突出しなくなるため、孔部の径方向内側全体を収納部とすることができ、大きな収納容積を確保することができる。
請求項８の発明では、請求項２の発明において、前記本体部は前記取付部から下方に延設された下端部近傍に前記本体部より比重の大きい錘部材が取付けられていることを要旨とするものである。
この構成によれば、押え部材の先端部近傍には押え部材より比重の大きい錘部材が取り付けられているので、押え部材が収納物を取り出した時に凹部内に収容される回動動作を円滑なものにすることができる。
【発明の効果】
【００１４】
本発明によれば、押え部材を直接手で操作しなくても収納物を載置部に載置するだけで押え部材の本体部を開口部の径方向内側に出没させることができる。さらに、この押え部材は回動することにより本体部が開口部の径方向内側に出没するため設置スペースも小さくできるという効果を奏するものである。さらに、この本体部は可撓部を有しているため高さの高い大径の飲料容器等を保持する場合でもこの可撓部で折れ曲がることにより安定して保持することができる。また、この押え部材は、開口部の径方向内側に突出しないようにロックできるので、大きな収納容積を確保することもできる。さらに、押え部材は錘部材により収納物を取り出した時には凹部内に円滑に収容することができるようになる。
【発明を実施するための最良の形態】
【００１５】
（実施例１）
以下、本発明の収納装置の実施例１について説明する。本発明の収納装置１は例えばコンソールパネル等の基体に取り付けられ、図１に示すように、コンソールパネル等の基体２と可動部材としてのボックス部３と２個の押え部材４，４とから構成される。これらはいずれもポリプロピレンやＡＢＳ樹脂等の合成樹脂で形成されている。
【００１６】
基体２は、上面の車室内側に面した表面が意匠パネル２０とされるとともに、この意匠パネル２０には円形の孔部２１が形成されている。この意匠パネル２０には、図２に示すように、孔部２１より大径の円筒状の筒部２２が意匠パネル２０の裏面側から下方に向けて一体に設けられている。また、意匠パネル２０の裏面で、筒部２２の内側には４個の第１軸受部２３・・２３が設けられている。
【００１７】
筒部２２には、図２に示すように、上部に開口部３０を有する有底円筒状のボックス部３が挿嵌されている。この開口部３０の内径は、基体２の孔部２１の径とほぼ同一とされている。また、図１および図２に示すようにボックス部３は開口部３０から下方に向けた筒状の側壁部３６が延設され、底部３４は収納物の載置部とされている。また、図１に示すように、ボックス部３の上端部近傍の側壁部には、径方向の対向位置に２個の凹部３１，３１が形成されている。この凹部３１の上辺はボックス部３の開口部３０の上端より低い段差部３２，３２とされている。この段差部３２，３２におけるボックス部３の周方向の対向面のそれぞれには第２軸受部としての４個の軸受穴３３・・３３が開口している。
【００１８】
次に、押え部材４，４は図１および図２に示すように上端が開口部３０の外側向きに曲折した略鉤状をなし、上端部が取付部４０，４０とされ、この取付部４０，４０からは本体部４１，４１が下方に向けて一体的に垂下されている。取付部４０，４０の幅Ｌ１は本体部４１，４１の幅Ｌ２よりより小さくされている。また、取付部４０，４０には、幅方向の外方に向けて第１軸支部としての第１軸突起４３，４３と第２軸支部としての第２軸突起４４，４４が形成されている。第２軸突起４４，４４は第１軸突起より、ボックス部３の開口部３０の径方向外側に設けられている。
【００１９】
また、基体２に設けられた４個の第１軸受部２３・・２３は押え部材４，４上端の取付部４０の横幅長より若干大きな間隔をもって軸受面が対向するものを１対として、筒部２２の内側の対向位置に２対設けられ、対向する軸受面には開口部３０の外側から内側に向けて傾斜して長穴とされた第１軸受穴２４・・２４が開口している。さらに、図２に示すように、筒部２２の下端には受面２５が設けられている。この受面２５とボックス部３の底部３４との間には第１付勢手段としてのコイルバネ５が配設されて、ボックス部３を上方に付勢している。受面２５は筒部２２の下端にねじや接着剤等で取り付けてもよいが、基体２が固定されるコンソール部等の底部を受面２５とすることもできる。
【００２０】
次に、これら基体２とボックス部３と押え部材４の収納物を収納した際および収納物を取り出した際の動作について説明する。
図３に示すように、基体２（図３では２点鎖線で示す。）の第１軸受穴２４・・２４には押え部材４の第１軸突起４３，４３が嵌入させられ、第２軸受部としての軸受穴３３には第２軸突起４４，４４が嵌入させられることにより基体２とボックス部３と押え部材４とが組み付けられる。この状態では、第１軸突起４３，４３は第１軸受穴２４・・２４の下端に位置している。
収納物を収納していない図２，図４では、押え部材４の本体部４１はボックス部３の凹部３１に収容されてボックス部３の側壁部３６とはほぼ面一となっている。この状態では、図２に示すように取付部４０の下面側と段差部３２の上面側との間には所定の間隙ｄが設けられている。
図５に示すようにボックス部３の底部３４に収納物としてのペットボトルＰを載置すると、ボックス部３はコイルバネ５の付勢力に抗して下方に移動する。押え部材４の第１軸突起４３，４３と第２軸突起４４，４４はともに回動（図示左側では反時計回りに回動し、図示右側では時計回りに回動する。）する。このとき、第１軸突起４３，４３はボックス部３の下方への移動に伴い、回動しつつ傾斜した長穴である第１軸受穴２４・・２４に沿って下方から斜め上方に移動し、第２軸突起４４，４４はボックス部３とともに下方に移動する。
すると、図５に示すように、押え部材４の本体部４１も第１軸突起４３，４３および第２軸突起４４，４４と回動（図示左側では反時計回り、図示右側では時計回り）して、開口部３０の径方向内側であるボックス部３内に突出し、本体部４１の先端がペットボトルＰの側周部に当接して保持することが可能となる。この状態では、間隙ｄにより押え部材４の取付部４０はボックス部３の段差部３２の上面に干渉することなく円滑に回動することができる。
ペットボトルＰをボックス部３から取り出すと、ボックス部３はコイルバネ５の付勢力により再び上方に移動させられ、図４に示すように、押え部材４はペットボトルPの収納時とは反対方向に回動し、本体部４１がボックス部３の凹部３１に収容された状態となる。この状態では、押え部材４の本体部４１はボックス部３の一側壁部とほぼ面一となって、側壁部３６の一部を構成している。
【００２１】
次に、本実施例においては必須の構成ではないが、図１に示すように基体２の孔部２１の外側には略四角形状の貫通孔２６が設けられている。
【００２２】
この貫通孔２６には、図２，図４および図５に示すように押ボタン６が嵌入されている。押ボタン６は貫通孔２６に係合する押圧部６０と押圧部６０の下面から垂下されたロッド部６１と押圧部６０の側面から下方に向けて取り付けられたピン６２とから形成されている。ロッド部６１の下端面は筒部２２側に向けた傾斜面６１ａとされている。また、ピン６２は押圧部６０への取り付け部を中心として下端が揺動自在とされており、下端は図４および図５に示すように意匠パネル２０の下方で基体２に取り付けられたハートカム７に係脱自在とされている。
【００２３】
また、図４および図５に示すように、筒部２２の側壁には貫通孔２７が設けられており、この貫通孔２７に対応する位置のボックス部３の側壁外側には凹部３５が設けられている。また、この貫通孔２７には図４の左右方向に移動して一端が凹部３５に挿抜可能なロッド８が挿通されている。このロッド８の貫通孔２７の外側の外周部にはフランジ部８０が設けられ、このフランジ部８０と筒部２２との間にはロッド８を凹部３５から抜く方向（図示左方向）に付勢するバネ９が配設されている。さらに、ロッド８の他端側はロッド部６１の傾斜面６１ａに対向する傾斜面８ａとされている。このロッド８を凹部３５へ挿入することでボックス部３の基体２に対する下方への移動防止のロック手段を構成する。
押え部材４により保持を必要としない収納物をボックス部３内に収納する場合においては、この押ボタン６の押圧部６０を押圧してロッド８が凹部３５内に挿嵌することによりボックス部３は基体２に対して上下方向への移動がロックされ、押え部材４も回動しなくなるため、本体部４１はボックス部３内に突出しなくなり、ボックス部３内の全体を収納部として活用することができる。
（実施例２）
次いで、本発明の実施例２について図６および図７を用いて説明する。なお、実施例１と同一の部材については同じ符号を付している。
【００２４】
図６に示すように、実施例１と同様に基体２には孔部２１と筒部２２とが形成され、この筒部２２にはボックス部３が嵌挿されている。押え部材４も取付部４０と本体部４１とからなり、第１軸突起４３と第２軸突起４４がそれぞれ実施例１と同様に基体２およびボックス部３に回動可能に軸支されている。
【００２５】
本実施例では、図６に示すように、基体２は筒部２２の内側に所定の間隙をもって内壁２８を有しており、可動部材としてのボックス部３は筒部２２と内壁２８との間隙に嵌挿されている。この内壁２８は収納物の側周面を保持可能な側壁部を構成している。
【００２６】
ペットボトルＰを収納すると、ボックス部３は実施例１と同様に下方に移動する。ここで、ボックス部３で押え部材４が配設されていない部位においては基体２の意匠パネル２０裏面とボックス部３の上端との間に隙間が生じるが、本実施例においては、内壁２８と意匠パネル２０のとは一体形成するかあるいは内壁２８の上端と意匠パネル２０の裏面側とを当接させることが可能となり、押え部材４が配設されていない部位でも隙間をほぼなくすことができるため、ボックス部３の上下移動に伴って生じる意匠パネル２０とボックス部３との間隙に小物等が落下するという不具合を解決することができる。
（実施例３）
次いで、本発明の実施例３について図８および図９を用いて説明する。なお、実施例１と同一の部位については同じ符号を付している。
【００２７】
図８および図９において、押え部材１０は、第１実施例と同様に上端の取付部１００と取付部１００から下方に延設された本体部１０１とから形成されている。本実施例においては、本体部１０１の上端の取付部１００と下端部とのほぼ中間位置に折れ曲がり可能な可撓部１０２を有して点が第１実施例と異なる。
【００２８】
押え部材１０はペットボトルＰ等の収納物が収納されていなければ、図８に示すように、可撓部１０２は折れ曲がっていない真直状態で、ボックス部３の凹部３１内に収容されボックス部３の側壁部とはほぼ面一状態とされている。この可撓部１０２には、可撓部１０２を真直方向に付勢する第２付勢手段としてのコイルバネ１１が配設されている。コイルバネ１１は実施例１に示す第１付勢手段としてのコイルバネ５より付勢力が小さくされている。
【００２９】
図９に示すように、ボックス部３内にペットボトルＰを収納すると、実施例１の場合と同様にボックス部３がコイルバネ５の付勢力に抗して下方に移動し、これに伴い、押え部材１０の本体部１０１はボックス部３内に突出する。この際、本体部１０１の先端がまずペットボトルＰの側面に当接するが、ボックス部３がペットボトルＰの重みによりさらに下方に移動すると押え部材１０は可撓部１０２の位置で折れ曲がり、この可撓部１０２の位置で本体部１０１がペットボトルＰの側面に当接する。ペットボトルＰの側壁への当接部は、可撓部１０２の方が本体部１０１の先端より高い位置とすることができるため、ペットボトルＰをより安定して保持することができる。
【００３０】
また、本実施例においては、第２付勢部材としてのコイルバネ１１の付勢力は第１付勢部材としてのコイルバネ５の付勢力より小さくされている。こうすることにより可撓部１０２はペットボトルＰの重みにより確実に折れ曲がることができ、大径で高さの高い収納物も安定保持することができる。
（実施例４）
次いで、本発明の実施例４について図１０を用いて説明する。なお、実施例１と同一の部位については同じ符号を付している。
【００３１】
図１０において、押え部材１２は、第１実施例と同様に、上端の取付部１２０と取付部１２０から下方に延設された本体部１２１とから形成されている。
【００３２】
本体部１２１の下側の先端部には、押え部材１２より比重の大きな錘部材１２２が設けられている。この錘部材１２２は本体部１２１がボックス部３の凹部３１に収容された状態で凹部３１に面した位置に設けることが好ましい。この錘部材１２２は鉄やアルミニウム等の金属から形成されている。
【００３３】
こうすることにより、収納物をボックス部３内に収納してボックス部３内に突出した本体部１２１は、収納物を取り出すことにより実施例１で示したコイルバネ５の付勢力により凹部３１内に収容されるよう移動するが、錘部材１２２の自重でコイルバネ５の付勢力を補助して円滑に凹部３１内に移動、収容することができる。
【００３４】
以上本発明の収納装置の実施例について説明した。しかしながら、実施例は上記形態に限定されるものではない。当業者が行いうる種々の変形的形態、改良的形態で実施することも可能である。
【００３５】
（１）たとえば、上記実施例では、取付部とボックス部との係合手段を軸突起と軸受穴によるものとしたが、この係合手段はボックス部の下方への移動に伴って本体部が開口部の径方向内側に回動するものであればよく、以下のような種々の形態と取りうることができる。
（ａ）取付部とボックス部とを第１軸支部の開口部の径方向外側において鉤形状の係合手段により係合するかあるいはクリップ等の係合を介して係合する。
（ｂ）第１軸支部に本体部を開口部の径方向内側に回動するような付勢部材（バネ等）を配置し、取付部の下面とボックス部の上面とを第１軸支部の開口部の径方向外側で当接等により係合させる。
（ｃ）第１軸支部と取付部とを第１軸支部の開口部の径方向外側において可撓性部材（インテグラルヒンジ等）による係合手段により係合させる。
（２）たとえば、上記実施例では、押え部材をボックス部の対向位置に２個設けた構造について詳述したが、押え部材は２個に限らず、１個のみあるいは３個以上に任意の個数としても同様の効果を奏するものである。
【００３６】
（３）上記実施例では、押え部材の上端の取付部には第１軸突起と第２軸突起を設け、この第１軸突起を基体に設けた第１軸受部に軸支し、第２軸突起をボックス部に設けた軸受穴に軸支することにより押え部材を基体およびボックス部に保持することとしたが、基体とボックス部にはそれぞれ軸突起を設け、これに対応して押え部材上端の取付部には基部とボックス部との軸突起に対応して軸穴を設ける構造とすることもできる。
【００３７】
（４）上記実施例３では、可撓部は１箇所のみとしたが、可撓部を複数設けることもできる。可撓部を複数設けた場合にはそれぞれの可撓部に対応して可撓部を真直方向に付勢する付勢部材を配設するが、押え部材の先端部側の可撓部に配設した付勢部材ほど付勢力を小さく設定してある。こうすることにより、先端側の可撓部から順に折れ曲がるため、収納物を安定保持することができるようになる。
【００３８】
（５）上記実施例では、押え部材は上端に取付部を設け本体部を取付部から下方に垂下する形態としたが、取付部を本体部の下端に設ける構成とする。この場合では、第１軸支部は上記実施例とは異なり、第１軸支部を係合手段より外側に配設することで本体部を開口部の径方向内側へ回動させることができる。
【図面の簡単な説明】
【００３９】
【図１】本発明における実施例１の収納装置の部品構成を示す斜視図。
【図２】同じく組付け状態での断面斜視図。
【図３】同じく要部拡大図。
【図４】ペットボトルを収納していない状態での図１のａ−ａ断面図。
【図５】ペットボトルを収納した状態での図１のａ−ａ断面図。
【図６】本発明における実施例２の収納装置のペットボトルを収納していない状態での要部断面図。
【図７】同じくペットボトルを収納した状態での要部断面図。
【図８】本発明における実施例３の収納装置のペットボトルを収納していない状態での要部断面図。
【図９】同じくペットボトルを収納した状態での要部断面図。
【図１０】本発明における実施例３の収納装置のペットボトルを収納していない状態での要部断面図。
【符号の説明】
【００４０】
１…収納装置、２…基体、３…ボックス部、４，１０，１２…押え部材、２１…孔部、２８…内壁、３０…開口部、３１，３５…凹部、４０，１００，１２０…取付部、４１，１０１，１２１…本体部、１０２…可撓部、１２２…錘部材。
【図１】
2006069228.tif 000003
【図２】
2006069228.tif 000004
【図３】
2006069228.tif 000005
【図４】
2006069228.tif 000006
【図５】
2006069228.tif 000007
【図６】
2006069228.tif 000008
【図７】
2006069228.tif 000009
【図８】
2006069228.tif 000010
【図９】
2006069228.tif 000011
【図１０】
2006069228.tif 000012